(57)【要約】本発明は、ワイヤレス通信システムにおけるデバイス間（Ｄ２Ｄ）通信において、参照信号（ＲＳ）を送信するデバイスによって実施される方法に関する。本方法は、通信条件に従って、少なくとも２つのＲＳパターンのセットの中から、或るＲＳパターンを選択することと、選択されたＲＳパターンに従って、Ｄ２Ｄ通信の無線信号を放出することとを含む。
2021536205.tif 000002
【特許請求の範囲】
【請求項１】
ワイヤレス通信システムにおけるデバイス間（Ｄ２Ｄ）通信において、参照信号（ＲＳ）を送信するデバイスによって実施される方法であって、
通信条件に従って、少なくとも２つのＲＳパターンのセットの中から、ＲＳパターンを選択することと、
選択されたＲＳパターンに従って、Ｄ２Ｄ通信の無線信号を放出することと、
を含む、方法。
【請求項２】
前記送信するデバイスによって前記通信条件を求めることを更に含む、請求項１に記載の方法。
【請求項３】
前記選択されたＲＳパターンに関する情報を送信することを更に含む、請求項１又は２に記載の方法。
【請求項４】
前記ＲＳパターンのセットの中の少なくとも１つのＲＳパターンは、シンボルの数ＸがＲＳを含むパターンに対応し、前記ＲＳパターンのセットの中の１つのＲＳパターンは、シンボルの数ＹがＲＳを含むパターンに対応し、前記数Ｙは、前記数Ｘとは異なり、各パターンのシンボルは、前記無線信号を送信するデバイスによって用いられる送信方式によって出力されるシンボルである、請求項１〜３のいずれか１項に記載の方法。
【請求項５】
前記ＲＳパターンの選択は、前記通信条件のうちの少なくとも１つに従って行われ、前記通信条件のうちの前記少なくとも１つは、パーティション方式の時間単位内のシンボルの数であり、前記パーティション方式は、前記無線信号を、シンボルのグループに分割する、請求項１〜４のいずれか１項に記載の方法。
【請求項６】
前記ＲＳパターンの選択は、前記通信条件のうちの少なくとも１つに従って行われ、前記通信条件のうちの前記少なくとも１つは、前記Ｄ２Ｄ通信に用いられるシンボルの時間領域の持続時間である、請求項１〜５のいずれか１項に記載の方法。
【請求項７】
前記ＲＳパターンの選択は、前記通信条件のうちの少なくとも１つに従って行われ、前記通信条件のうちの前記少なくとも１つは、前記Ｄ２Ｄ通信に用いられるサブキャリア間隔構成である、請求項１〜６のいずれか１項に記載の方法。
【請求項８】
前記ＲＳパターンの選択は、前記通信条件のうちの少なくとも１つに従って行われ、前記通信条件のうちの前記少なくとも１つは、前記送信するデバイスによって前記無線信号の送信に用いられるリソースを含むリソースのセットである、請求項１〜７のいずれか１項に記載の方法。
【請求項９】
前記ＲＳパターンの選択は、前記通信条件のうちの少なくとも１つに従って行われ、前記通信条件のうちの前記少なくとも１つは、前記送信するデバイスと受信側デバイスとの間の相対速度、又は、前記送信するデバイスと受信側デバイスのグループとの間の相対速度である、請求項１〜８のいずれか１項に記載の方法。
【請求項１０】
前記ＲＳパターンの選択は、前記通信条件のうちの少なくとも１つに従って行われ、前記通信条件のうちの前記少なくとも１つは、ルーティング方式のタイプである、請求項１〜９のいずれか１項に記載の方法。
【請求項１１】
前記ルーティング方式のタイプがブロードキャストである場合、前記ＲＳパターンのセットの前記ＲＳパターンの中の、ＲＳを含む最大数のシンボルを有するＲＳパターンが選択される、請求項１０に記載の方法。
【請求項１２】
前記ＲＳパターンの選択は、前記通信条件のうちの少なくとも１つに従って行われ、前記通信条件のうちの前記少なくとも１つは、変調符号化方式のタイプである、請求項１〜１１のいずれか１項に記載の方法。
【請求項１３】
前記ＲＳパターンの選択は、前記通信条件のうちの少なくとも１つに従って行われ、前記通信条件のうちの前記少なくとも１つは、送信方式のタイプである、請求項１〜１２のいずれか１項に記載の方法。
【請求項１４】
前記通信条件のうちの前記少なくとも１つは、波形のタイプである、請求項１〜１３のいずれか１項に記載の方法。
【請求項１５】
前記ＲＳパターンの選択は、前記通信条件のうちの少なくとも１つに従って行われ、前記通信条件のうちの前記少なくとも１つは、リソース配分である、請求項１〜１４のいずれか１項に記載の方法。
【請求項１６】
前記ＲＳパターンの選択は、
前記通信条件に対応する値を得ることと、
Ｔｈｉ≦Ｔｈｉ＋１となるように、および、各区間［Ｔｈｉ；Ｔｈｉ＋１［又は］Ｔｈｉ；Ｔｈｉ＋１］が少なくとも２つのＲＳパターンの前記セットのサブセットに対応するように、前記対応する値を閾値Ｔｈ０、．．．、Ｔｈｎのセットと比較することと、
前記対応する値が内部に存在する前記区間に対応する前記サブセットの中から、ＲＳパターンを選択することと、
を含む、請求項１〜１５のいずれか１項に記載の方法。
【請求項１７】
プロセッサによって実行されると、請求項１〜１６のいずれか１項に記載の方法を実行するコード命令を含む、コンピュータプログラム製品。
【請求項１８】
ワイヤレス通信システムにおけるデバイス間（Ｄ２Ｄ）通信において、参照信号（ＲＳ）を送信するデバイスであって、
プロセッサと、
命令が記憶された非一時的コンピュータ可読媒体であって、前記命令は、前記プロセッサによって実行されると、
通信条件に従って、少なくとも２つのＲＳパターンのセットの中から、ＲＳパターンを選択することと、
選択されたＲＳパターンに従って、Ｄ２Ｄ通信の無線信号を送信することと、
を行うように前記送信するデバイスを構成する、非一時的コンピュータ可読媒体と、
を備える、デバイス。
【発明の詳細な説明】
【技術分野】
【０００１】
本発明は、ワイヤレス通信システムにおけるデバイス間通信（device to device communications：デバイス間通信）に関する。
【０００２】
本発明は、より正確には、デバイス間通信における参照信号（ＲＳ）の実装に関する。
【背景技術】
【０００３】
デバイス間通信において、ＬＴＥ規格では、送信側デバイスが一意に事前定義されたＲＳパターンに従ってＲＳを挿入するとされている。この事前定義されたＲＳパターンは、高い時間密度を有する。
【０００４】
ワイヤレス通信において、無線基地局とモバイル端末との間で通信が確立される場合には常に、無線基地局は、アップリンク／ダウンリンクチャネル状態情報の自身の知識及び／又は干渉プロファイルに基づいて、最適なＲＳパターンを求め、無線基地局が最適と判断したＲＳパターンを受信又は送信するようにモバイル端末を構成する。デバイス間通信において、いくつかのシナリオでは、無線基地局は、サイドリンク通信（すなわち、別のデバイスとの通信）のためにモバイルデバイスによって実装される最適なＲＳパターンを求めることができない。実際には、例えば、２つの通信デバイスは、無線基地局がカバーする領域の外にある場合がある。別の例では、無線基地局は、最適なＲＳパターンを求めるのに十分な、デバイス間通信の条件に対する情報を有しない場合もある。したがって、ＬＴＥにおける（特にＶ２Ｘシステムにおける）デバイス間（Ｄ２Ｄ）通信において実装されるＲＳパターンは、常に同じであり、ワーストケースに対処するように設計されたものである。実際には、このことにより、Ｄ２Ｄ通信において、通信路が不良である場合（例えば、受信機及び／又は送信機は非常に高速で移動している場合）でさえ、受信機が送信機によって送信されたデータを取り出すことが可能である。
【０００５】
したがって、Ｄ２Ｄ通信用のＬＴＥにおいて指定されるＲＳパターンをもちいることにより、正しいチャネル推定を行うことができるとともに、ワーストケース、例えば、無線チャネルが大きく変動する場合においても、無線信号を適切に復号することができる。
【０００６】
しかしながら、無線チャネルがさほど不良ではない場合、例えば、無線チャネルの変動が最も緩やかな場合には、Ｄ２Ｄ通信用のＬＴＥにおいて実装されるＲＳパターンは、不必要に大量のＲＳを送信することになり、無線リソースの利用効率の低下が起こることになる。
【０００７】
加えて、新しい無線（ＮＲ）規格又は現在標準化されつつある５Ｇに代表される近年のミリ波システムでは、高搬送波周波数レベルで実行される動作は、位相雑音、搬送波周波数オフセット、ドップラー効果等のさまざまな原因によって無線チャネルの変動が強くかつ高速に発生する。これにより、チャネル状態の追跡が困難になる。なぜならば、ＲＳの２つの連続送信間で強い変動が起こり得るためである。最悪の場合、新たなシステムでは、ＬＴＥ規格の場合よりもさらに高い時間密度ＲＳパターンを必要となる可能性がある。それゆえ、Ｄ２Ｄ通信においてそのようなＲＳパターンを実装することは、かなりの量の無線リソースの浪費を伴う。
【発明の概要】
【発明が解決しようとする課題】
【０００８】
本発明は、上記状況を改善することを目標とする。
【課題を解決するための手段】
【０００９】
したがって、本発明は、ワイヤレス通信システムにおけるデバイス間（Ｄ２Ｄ）通信において、参照信号（ＲＳ）を送信するデバイスによって実施される方法に関する。本方法は、
−デバイスによって、通信条件に従って、少なくとも２つのＲＳパターンのセットの中から、或るＲＳパターンを選択することと、
−選択されたＲＳパターンに従って、ＲＳセットを送信するＤ２Ｄ通信の無線信号を放出することと、
を含む。
【００１０】
本発明により、Ｄ２Ｄ通信における送信側デバイス、すなわち、他のデバイスにデータを直接送信するデバイスが、Ｄ２Ｄ通信の条件に従って、無線信号におけるＲＳの量並びに時間及び周波数におけるそれらの位置を適応させることが可能になる。通信条件は、デバイスによって、例えば、このデバイスがＤ２Ｄ通信においてともに関与する別のデバイスとの相対速度を求めることによって、求めることができる。デバイスは、通信条件を求めるために、（例えば、サイドリンク制御チャネルに対するフィードバック、同期シーケンス、及び／又は参照信号等を介して）、このデバイスがＤ２Ｄ通信においてともに関与するか又は将来関与することになる他のデバイスによって送信されるか、又は、無線基地局がカバーする領域内にデバイスがある場合に、その基地局によって送信される情報を用いることができる。それらの通信条件に基づいて、送信側デバイス（無線信号を放出するデバイス）は、ＲＳパターンを選択する。
【００１１】
送信側デバイスによって実装されるＲＳパターンは、例えば、無線チャネルの品質、及びＤ２Ｄ通信に関与するデバイスの通信パラメータ（送信方式、サブキャリア間隔等）である通信条件に従って、ＲＳの量及び（周波数及び／又は時間における）それらの位置を最適化するように選択されることになる。基地局は、送信側デバイスによって選択されるＲＳパターンを認識していない場合がある。
【００１２】
したがって、これにより、無線リソースを浪費して不要な量のＲＳを送信することなく、正しいチャネル推定を有するとともに、受信機側において無線信号を適切に復号することが可能になる。
【００１３】
加えて、デバイスは、デバイスの通信パラメータに適応されたＲＳパターンを選択することができる。例えば、ＲＳパターンは、ＤＦＴｓＯＦＤＭ又はＯＦＤＭのような無線信号を生成するのに用いられる波形に従って選択することができる。通信パラメータに適応されたＲＳパターンを用いることにより、受信機側における無線信号の復号を向上させることも可能になる。例えば、データ及びＲＳが同じシンボルにおいて混合する場合、ＤＦＴｓＯＦＤＭ（ＳＣ−ＦＤＭＡとしても知られている）では、信号の低いピーク対平均電力比を保つために、ＣＰ−ＯＦＤＭのように周波数領域ではなく、ＤＦＴ前（pre-DFT）領域において、ＲＳをデータとともに挿入することが好ましい。それゆえ、異なる波形に用いられるパターンはそれぞれ異なる。その上、周波数領域におけるＲＳの挿入は、例えば、ＣＰ−ＯＦＤＭと同じ周波数領域パターンを用いるとともに仕様作業（specification effort）を削減するためにＤＦＴｓＯＦＤＭで実行される必要がある場合、同じシンボル内のデータ／ＲＳ多重化は、禁止されるか、又は、良好なピーク対平均電力比を確保するために特定の反復及び／又は移相規則に従わなければならない。このような場合では、総ＲＳオーバーヘッドを制御するために、ＤＦＴｓＯＦＤＭの場合の時間領域における密度パターンに対する制約は、ＣＰ−ＯＦＤＭの場合とは異なるものとすることができる。それゆえ、異なる波形に用いられるパターンはそれぞれ異なる。
【００１４】
参照信号は、本発明では、シンボルの値及びそれらの位置に関して受信機によって既知である全ての当該シンボルを包含し、それに基づいて、受信機は、送信機と受信機との間のチャネルの影響、及び（ノントランスペアレント送信方式の場合では）無線信号を結果としてもたらす送信側デバイスによって行われる変換を推定することができる。例えば、参照信号の受信バージョン（例えば、チャネル、雑音及び／又は位相雑音等によって破損したバージョン）に基づいて、受信機は、チャネルを推定する、及び／又はチャネル推定品質を改善することができる。ここで、チャネルは、非線形性、位相雑音、ドップラー、搬送波周波数オフセット等の伝播及びハードウェアの影響を含む全ての効果を包含することに留意されたい。
【００１５】
ＮＲの場合では、これらのＲＳは、例えば、ＰＴＲＳ、ＤＭＲＳ、ＳＲＳ、ＣＳＩ−ＲＳ、又は測位、発見等の種々の目的に用いられるＲＳとすることができる。
【００１６】
ＲＳパターンは、ＲＳの位置を指定するパターンである。これらの位置は、いくつかの方法において定義することができる。
【００１７】
ＲＳパターンは、ＲＳが占有する時間における位置（時間位置とも称される）及び周波数における位置を指定することができる。
【００１８】
例えば、ＬＴＥ  Ｖ２Ｘにおいて、サイドリンクチャネルごとに、１つの単一ＲＳパターンは、セルラーＶ２Ｘ通信の状況におけるサイドリンク送信においてモバイル送信機によって挿入されるＤＭＲＳの可能な位置及び数を指定する。例えば、ＬＴＥサイドリンク共有チャネルについて、ＤＭＲＳは、サブフレーム内の第１のスロットの時間位置２及び５に（すなわち、第３のシンボル及び第６のシンボルに）位置決めされ、また、サブフレーム内の第２のスロットの時間位置１及び４に（すなわち、第２のスロットの第２のシンボル及び第５のシンボルに）位置決めされる。ここで、サブフレームは、常に１４個のシンボルを含む。指定されたシンボルにおいて、全てのサブキャリアがＲＳによって占有される。別の例では、ＳＣ−ＱＡＭ、ＳＣ−ＦＤＥ方式、又はシンボルのブロックを処理することに基づく他の送信方式の場合、シンボルの各ブロックは、ＳＣ−ＱＡＭ／ＳＣ−ＦＤＥ変調器によってＳＣ−ＱＡＭ／ＳＣ−ＦＤＥシンボル内に変換され、ＲＳパターンは、時間位置（すなわち、ＳＣ−ＱＡＭ／ＳＣ−ＦＤＥシンボルのスイートの中のＲＳを搬送するＳＣ−ＱＡＭ／ＳＣ−ＦＤＥシンボルの位置）、及び、ＳＣ−ＱＡＭ／ＳＣ−ＦＤＥ変調器の入力においてＲＳを含むシンボルの各ブロック内でＲＳによって占有される位置を指定することができる。例えば、専用のＲＳシンボルが利用される（１つのシンボル内にＲＳ／データミックスはない）場合、ＲＳパターンは、時間位置のみを指定することができる。
【００１９】
ＲＳパターンは、時間位置、及びＲＳによって占有されるＤＦＴ前位置を指定することができる。例えば、送信側デバイスがＤＦＴ前でのＲＳ挿入を用いてＤＦＴｓＯＦＤＭ方式を実施する場合、ＲＳパターンは、ＲＳを含むＤＦＴｓＯＦＤＭシンボル、及び、ＲＳを含むそれらのＤＦＴｓＯＦＤＭシンボルについてのＤＦＴの入力において、ＲＳによって占有される位置を指定することができる。
【００２０】
時間及び／又は周波数における位置は、これらの時間及び／又は周波数位置に位置するリソースユニットであり、場合によっては、最小リソースユニットである。周波数位置は、多くの場合、このＲＳ（又はリソースユニット）配分リソースを搬送するのに用いられるサブキャリアである。時間位置は、多くの場合、このＲＳが存在するシンボルである。ＤＦＴ前位置は、図２に記載されるようなＤＦＴｓＯＦＤＭ変調器のＤＦＴの入力において存在するシンボルのブロック内のＲＳの位置である。
【００２１】
デバイス間通信は、無線基地局をトラバースすることを伴わない少なくとも２つのデバイス間の直接通信である。
【００２２】
通信条件は、Ｄ２Ｄ通信に関与するデバイス間の無線チャネル及び／又はこのＤ２Ｄ通信のパラメータ（通信パラメータ）に関係付けられる条件である。
【００２３】
ＲＳパターンのセットは、いくつかの異なるＲＳパターンを含む。これらのＲＳパターンにより、異なる状況、すなわち、通信条件による異なる状況をカバーすることが可能になる。したがって、ＲＳパターンのセット内の少なくとも１つのＲＳパターンは、通信条件の第１の状況に対応し、ＲＳパターンのセット内の別のＲＳパターンは、通信条件の第２の状況に対応する。
【００２４】
選択されたＲＳパターンに従って無線信号を放出するとは、選択されたＲＳパターンに従ってＲＳセットを送信する無線信号を放出することであり、すなわち、選択されたＲＳパターンによって定義された位置に従って、ＲＳを挿入することであり、すなわち、例えば、特定のシンボル内の特定のサブキャリア上で、又は、特定のシンボル内の特定のＤＦＴ前位置において、各ＲＳを搬送することである。ＲＳパターンにおいて周波数位置が定義される場合、各シンボルは、１つ又はいくつかのＲＳを、すなわち、１つ又はいくつかのサブキャリア上で搬送することができる。一連のシンボルが、送信側デバイスによって出力され、一連のシンボルの各シンボルは、ＲＳパターンに従って１つ又はいくつかのＲＳを含む場合も、含まない場合もある。この一連のシンボルは、その後、無線信号を通じて送信される。
【００２５】
ＲＳが内部に挿入されるシンボルは、無線信号を通じて送信されるシンボル、例えば、ＯＦＤＭシンボル又はＤＦＴｓＯＦＤＭ（ＤＦＴ拡散ＯＦＤＭ）シンボルである。
【００２６】
本発明の一態様によれば、デバイスは、選択されたＲＳパターンに関する情報を送信する。
【００２７】
これにより、Ｄ２Ｄ通信において無線信号を受信するデバイスは、送信側デバイスによって放出された無線信号内にＲＳが挿入された際に従ったＲＳパターンの通知を受けることが可能になる。したがって、受信側デバイスは、無線信号においてＲＳの位置を求めるのに必要な計算が少なくなる。それゆえ、ＲＳを処理して、無線信号に対する無線チャネルの影響及び／又は送信側デバイスによって用いられる送信方式（ノントランスペアレント送信方式である場合）を推測するのに必要な計算が少なくなる。
【００２８】
選択されたＲＳパターンに関する情報は、受信側デバイスがＲＳパターンを求めることが可能になる任意の情報である。
【００２９】
この情報は、明示的な情報、例えば、ＲＳパターンのセットにマッピングされたインデックスからの値とすることができる。この情報は、サイドリンク制御チャネル、すなわち、Ｄ２Ｄ通信に専用化された制御チャネルにおけるフィールド内で設定することができる。別の例では、各ＲＳパターンは、ＲＳを含むシンボルのインデックス、又はＲＳを含むシンボルの数によって表すことができる。したがって、サイドリンク制御チャネルにおけるフィールドは、これらの数を通知することができる。これらの数のうちの少なくとも１つについて、いくつかのＲＳパターンがＲＳパターンのセット内で利用可能である場合、周波数領域におけるＲＳの密度のレベル、すなわち、ＲＳを含む各シンボル内でＲＳを搬送するサブキャリアの数（又は平均数）のインジケーション、例えば、低周波数密度の値、中程度の密度の値、及び高密度の値を表す第２の情報をサイドリンク制御チャネルにおいて送信することができる。
【００３０】
別の例では、ＲＳパターンは、自身のＲＳの数によって表すことができる。ＲＳパターンのセット内のいくつかのＲＳパターンが同じ数のＲＳを有する場合では、それらを区別するために、サイドリンク制御チャネルにおけるＲＳの数とともに第２の情報を送信することができる。
【００３１】
この情報は、受信側デバイスが、送信側デバイスによって送信された情報によって明示的に識別されることなく、用いられるＲＳパターンを求めることを可能にする暗黙的な情報とすることができる。例えば、受信側デバイスは、受信側デバイス及び送信側デバイスの双方によって既知の規則の共通セットに基づいて、及び／又は、他の目的に関係付けられた情報に基づいて、用いられるＲＳパターンを求めることができる。例えば、他の目的に関係付けられた情報は、スロット構成に対するインジケーション、他のタイプのＲＳの構成のインジケーション、及び／又は、通信のパラメータに関するインジケーション、又は、特定のＲＳパターンを明示的には示していない他の任意の情報とすることができる。別の例では、周波数領域（又はＤＦＴ前領域）におけるＲＳの数及び／又は厳密な位置は、通信条件に依存する。
【００３２】
ＲＳパターンは、ＲＳの時間及び周波数（又はＤＦＴ前）位置を共同で表す情報によって識別することができる。それゆえ、全ての可能なパターンは、一意に識別される。ＲＳパターンは、ＲＳの時間位置及びＲＳの周波数（又はＤＦＴ前）位置に対する別個の情報によって識別することができる。それゆえ、この情報の一部は、暗黙的に推測することができ、シグナリングする必要がなく、シグナリングオーバーヘッドが削減される。
【００３３】
本発明の一態様によれば、ＲＳパターンのセットの中の少なくとも１つのＲＳパターンは、シンボルの数ＸがＲＳを含むパターンに対応する。ＲＳパターンのセットの中の１つのＲＳパターンは、シンボルの数ＹがＲＳを含むパターンに対応する。この数Ｙは、数Ｘとは異なる。各パターンのシンボルは、無線信号を送信するデバイスによって用いられる送信方式によって出力されるシンボルである。
【００３４】
したがって、ＲＳパターンのセットの少なくとも２つのＲＳパターンは、ＲＳを含む異なる数のシンボルを有する。これにより、送信側デバイスは、ＲＳパターンのセットの中から、無線チャネルの変動が著しい場合により好適なより多くの数のＲＳシンボルを有するＲＳパターンを選択するとともに、無線チャネルの変動が適度であるか又は低く、また、無線リソースの使用がより良好である場合により好適なより少ない数のＲＳシンボルを有するＲＳパターンを選択することが可能になる。
【００３５】
数Ｘ及びＹは、１とパーティション方式の時間単位内のシンボルの最大数との間に設定される。このパーティション方式は、無線信号を時間単位（すなわち、シンボルのグループ）に分割する。特に言及しない限り、時間単位は、シンボルのグループ内のシンボルの数によって定義される。
【００３６】
本発明の一態様によれば、ＲＳパターンの選択は、通信条件のうちの少なくとも１つに従って行われ、通信条件のうちのこの少なくとも１つは、パーティション方式の時間単位内のシンボルの数であり、このパーティション方式は、無線信号を複数の時間単位に分割する。
【００３７】
したがって、ＲＳパターンの選択は、少なくとも、パーティション方式の時間単位内のシンボルの数に従って行われる。
【００３８】
パーティション方式（又は時間パーティション方式）の時間単位は、時間単位内の信号の時間分割である。すなわち、無線信号は、いくつかの時間単位に分割することができる。時間単位のそれぞれは、いくつかのシンボルに分割される。有利なことに、ＲＳパターンのセットの各ＲＳパターンは、時間単位上で完全に定義される。すなわち、ＲＳパターンに従ってＲＳを挿入する場合、ＲＳの位置は、時間単位ごとに同一である。
【００３９】
ＲＳシンボルの数は、所与の時間単位についてのＲＳシンボルの数と見ることができる。
【００４０】
ＬＴＥ及びＮＲ規格において、時間単位は、サブフレームであるか、又は、それぞれスロット若しくはミニスロットである。ＬＴＥでは、スロットは、６つ又は７つのシンボルを含み、サブフレームは、２つのスロット、すなわち、１２個又は１４個のシンボルを含む。ＮＲでは、１スロット内のシンボルの数は、２個〜１４個のシンボルの範囲とすることができる。
【００４１】
時間単位内のシンボルの数が増加する場合、例えば、相応するチャネル推定品質を達成するために、ＲＳを含むより多くのシンボルを有する必要がある。したがって、時間単位内にＲＳを含むより多くの数のシンボルを有するＲＳパターンを選択することができる。
【００４２】
時間単位内のシンボルの数が減少する場合、例えば、相応するチャネル推定品質を達成するとともに、ＲＳを送信するのにより多くのリソースを用いることを回避するようにＲＳを含むシンボルの数を削減するために、ＲＳを含むより少数のシンボルを有することが可能である。したがって、時間単位内にＲＳを含むより少ない数のシンボルを有するＲＳパターンを選択することができる。
【００４３】
例えば、ＮＲにおいて、小さいスロット、例えば、４つのシンボルを含むスロットがＤ２Ｄ通信に用いられる場合、大きいスロット、例えば、１４個のシンボルを含むスロットが用いられる場合よりも少ない数のＲＳを有するパターンを用いることが有利である。
【００４４】
本発明の一態様によれば、ＲＳパターンの選択は、通信条件のうちの少なくとも１つに従って行われ、通信条件のうちのこの少なくとも１つは、Ｄ２Ｄ通信に用いられるシンボルの時間領域の持続時間である。
【００４５】
したがって、ＲＳパターンの選択は、少なくとも、Ｄ２Ｄ通信に用いられるシンボルの時間領域の持続時間に従って行われる。
【００４６】
マルチキャリア通信における時間領域の持続時間は、サブキャリア間隔構成、すなわち、２つの隣接したサブキャリア間の周波数間隔に依存することができる。より小さいサブキャリア間隔構成を有するシンボルは、より大きいサブキャリア間隔構成を有するシンボルよりも、長い持続時間を有することができる。
【００４７】
ＮＲのような新たな規格は、同じキャリア内で異なるサブキャリア間隔構成を用いる可能性を提供する。したがって、デバイスは、それらの異なるタイプのサブキャリアを用いる能力を有することができる。より一般的には、デバイスは、異なる時間領域の持続時間を有するシンボルを有するデータを送信する能力を有することができる。
【００４８】
したがって、デバイスによって用いられるシンボルの時間領域の持続時間（又はサブキャリア間隔構成）に応じて、異なるＲＳパターンを実装することができる。例えば、所与の時間単位について、より長い持続時間を有するシンボルを用いる場合、より小さい持続時間を有するシンボルを用いる場合よりも、ＲＳを含むより多くの数のシンボルを有するＲＳパターンを選択する方が有利（例えば、相応するチャネル推定品質を達成するのに有利）である。実際には、シンボルの持続時間が短縮される場合には、ＲＳを搬送する２つのシンボルの間の時間も短縮される。したがって、ＲＳを搬送するより少数のシンボルを有するＲＳパターンを選択することができる。
【００４９】
本発明の一態様によれば、ＲＳパターンの選択は、通信条件のうちの少なくとも１つに従って行われる。通信条件のうちのこの少なくとも１つは、デバイスによって無線信号の送信に用いられるリソースを含むリソースのセットである。
【００５０】
したがって、ＲＳパターンの選択は、少なくとも、無線信号を送信するデバイスによって用いられるリソースを含むリソースのセットに従って行われる。
【００５１】
リソースのセットは、例えば、リソースプール及び／又は帯域幅部分、すなわち、デバイスによって場合によって用いることができる無線リソース（リソースユニット）のセットである。セルラー通信との干渉を制限するために、自身のリソースを有する少なくとも１つのリソースプールを、Ｄ２Ｄ通信のために構成することができる。また、無線基地局によって用いられる無線周波数帯域よりも狭い無線周波数帯域をサポートするデバイスの問題に対処するために、デバイスが送信及び／又は受信することが期待される帯域幅部分を構成することができる。これらのリソースプール又は帯域幅部分のそれぞれは、リソースプール及び／又は帯域幅部分の特殊性に適応された特定のＲＳパターンを有して用いることができる。
【００５２】
例えば、異なるリソースプール及び／又は帯域幅部分を、異なる要件を有する異なるタイプのサービスに用いることができる。それゆえ、ＲＳパターンは、所与のリソースプール／帯域幅部分に対応する要件に適応される。
【００５３】
例えば、干渉プロファイル及び／又は同じ又は隣接した帯域におけるスケジューリングに対してネットワークが計画するサービスのタイプに応じて、デバイスがその中から選択することが可能であるＲＳパターンのセットをネットワークによって制約することができる。それゆえ、大域的ネットワーク性能は、デバイス間通信中にデバイスによって行われる選択によって影響を受けない。
【００５４】
したがって、これらの特定のＲＳパターンは、ＲＳパターンのセットに含めることができ、送信側デバイスは、デバイスがデータを送信するリソースのセットに対応するＲＳパターンのうちの１つを選択することができる。
【００５５】
本発明の一態様によれば、ＲＳパターンの選択は、通信条件のうちの少なくとも１つに従って行われ、通信条件のうちのこの少なくとも１つは、デバイスと受信側デバイスとの間の相対速度、又は、デバイスと受信側デバイスのグループとの間の相対速度である。
【００５６】
したがって、ＲＳパターンの選択は、少なくとも、デバイスと受信側デバイスとの間の相対速度、又は、デバイスと受信側デバイスのグループとの間の相対速度に従って行われる。
【００５７】
Ｄ２Ｄ通信において、送信側デバイスと受信側デバイスとの間の相対速度は、無線チャネルに影響を与える。より具体的には、相対速度が高くなるほど、無線チャネルの変動が著しいものとなる。したがって、２つのデバイスが互いの間で高い相対速度を有する場合、多数のＲＳシンボルを有するＲＳパターンは、これらのデバイス間の送信に、より良好に適合する。実際には、多数のＲＳシンボルを有するＲＳパターンに従ってＲＳを挿入することにより、無線チャネルの変動をより微細に追跡するとともに、ＲＳを含まないシンボルを送信するのに用いられる無線チャネルの不良な推定を有することを回避することが可能になる。対照的に、２つのデバイスが互いの間で低い相対速度を有する場合、より低い時間密度を有するＲＳパターンにより、無線リソースの使用を削減することが可能になる。それゆえ、送信側デバイスと受信側デバイスとの間の相対速度に適応されたＲＳパターンを用いることにより、無線信号を適切に復号するためにチャネルの推定を向上することが可能になり、同時に、無線リソースの使用が削減される。
【００５８】
デバイスは、以下に基づいて受信側デバイスとの間で有する相対速度を求めることができる。
−受信側デバイスから受信された信号の強度及び／又は信号強度変動の測定値、
−受信側デバイスから受信された信号のドップラーシフト及び／又はドップラー拡散の測定値、
−受信側デバイスから受信される、受信側デバイスによって実行されたドップラーシフト、及び／又は、ドップラー拡散、及び／又は、信号強度のインジケーション、
−送信側デバイス又は受信側デバイスと共同配置される他の測定システムから取得された相対速度に対する知識。
【００５９】
送信側デバイスが受信側デバイスのグループとともにＤ２Ｄ通信に関与する場合、送信側デバイスは、デバイスのグループ内のデバイスの全て若しくは一部に対する平均相対速度、又は、受信側デバイスのグループの全て若しくは一部（すなわち、受信側デバイスのグループの中のデバイスのサブセット）の信号強度に従って重み付けされた相対速度を用いて得られる平均相対速度を用いることができる。
【００６０】
相対速度は、相対速度のクラス又は範囲とすることができる。例えば、相対速度の範囲（例えば、歩行者／車両／高速、又は低／中／高速等）の大まかな判定が実行される。
【００６１】
本発明の一態様によれば、ＲＳパターンの選択は、通信条件のうちの少なくとも１つに従って行われ、通信条件のうちのこの少なくとも１つは、ルーティング方式のタイプである。
【００６２】
したがって、ＲＳパターンの選択は、少なくとも、Ｄ２Ｄ通信において用いられるルーティング方式のタイプに従って行われる。
【００６３】
ルーティング方式のタイプは、デバイスがデータを送信する他のデバイスの範囲である。ルーティング方式は、例えば、ユニキャスト、ブロードキャスト及びマルチキャストである。
【００６４】
ユニキャスト及びマルチキャストＤ２Ｄ通信は、一般に、フィードバックを可能にする２方向通信である。一方、ブロードキャスト通信は、一般に、受信側デバイスに関する情報がほとんど利用可能でない１方向通信である。したがって、ユニキャスト及びマルチキャスト通信では、デバイスは、例えば、フィードバックを通じて、又は、受信側デバイスから送信された、以前に受信された無線信号を分析することによって、無線チャネルに対するより正確な情報を得ること、例えば、デバイスと受信側デバイスとの間の相対速度を求めることが可能になる。デバイスは、受信側デバイスに関係付けられた通信条件に従ってＲＳパターンを選択することができる。例えば、デバイスは、相対速度の中央値、相対速度の中位数（medium）又は相対速度の加重和を考慮して、通信の性能を最適化することを可能にする規則に基づいて、ＲＳパターンを選択する。受信側デバイスの数が合理的である、例えば、事前定義された閾値を下回る場合、デバイスは、自身と他の各受信側デバイスとの間の相対速度を考慮に入れることによって、ＲＳパターンを選択することができる。受信側デバイスの数が送信側デバイスに過度に多くの処理を必要とする、例えば、受信側デバイスの数が閾値を超えている場合、デバイスは、受信側デバイスのグループの中の受信側デバイスのサブセットのみの相対速度を考慮に入れることによって、ＲＳパターンを選択することができる。
【００６５】
ブロードキャストの場合では、デバイスは受信側デバイスから送信された無線信号を以前に受信していない場合があるため、デバイスは、ＲＳパターンのセットの、最大数のＲＳ（又はＲＳを含む最大数のシンボル）を有するＲＳパターンを選択することができる。
【００６６】
本発明の一態様によれば、ＲＳパターンの選択は、通信条件のうちの少なくとも１つに従って行われ、通信条件のうちのこの少なくとも１つは、変調符号化方式のタイプである。
【００６７】
したがって、ＲＳパターンの選択は、少なくとも、Ｄ２Ｄ通信において用いられる変調符号化方式のタイプに従って行われる。
【００６８】
変調符号化方式（ＭＣＳ）のタイプに従ってＤ２Ｄ通信のＲＳパターンを選択することによって、無線信号を適切に復号するためにチャネルの推定を向上させることが可能になり、同時に、無線リソースの使用が削減される。実際には、無線信号のロバスト性、及び、したがって、この無線信号を復号する難易度は、通信に用いられる変調符号化方式に直接依存する。小量のシンボル及び低符号化レート（低次ＭＣＳ）を用いる変調方式は、無線チャネルに対する無線信号の感度を低下させ、したがって、誤りを含む復号の可能性を低減させる。そのため、ＲＳを含むより少ない数のシンボル、及び周波数領域における低密度（すなわち、低周波数密度）を有するＲＳパターンは、無線信号を適切に復号し、同時に、ＲＳのために削減された量の無線リソースを用いるのに適したものであり得る。
【００６９】
対照的に、かなりの量のシンボル及び高符号化レート（高次ＭＣＳ）を用いる変調方式は、無線チャネルに対する無線信号の感度を高め、したがって、誤りを含む復号の可能性を高める。したがって、ＲＳを含むより多くの数のシンボル、及び周波数領域におけるより高い密度を有するＲＳパターンは、無線信号を適切に復号するのに適したものであり得る。
【００７０】
本発明の一態様によれば、ＲＳパターンの選択は、通信条件のうちの少なくとも１つに従って行われ、通信条件のうちのこの少なくとも１つは、送信方式のタイプである。
【００７１】
したがって、ＲＳパターンの選択は、少なくとも、送信方式のタイプに従って行われる。
【００７２】
送信方式は、放出された無線信号を得るために、デバイスによって送信されることになるデータに対して適用される方式である。すなわち、送信方式は、無線信号を得るために連続的に適用される異なるモジュールに対応する。
【００７３】
送信方式に従ってＲＳパターンを選択することにより、無線信号を適切に復号するためにチャネルの推定を向上させることが可能になる。
【００７４】
実際には、異なる送信方式では、異なるＲＳパターンを必要とする。例えば、時間領域プリコーダベクトルスイッチング等の送信ダイバーシティ方式では、同じプリコーダを用いてプリコーディングされた時間単位内のシンボルの各サブグループ内に少なくとも１つのＲＳが存在することを必要とする。別の例のマルチレイヤ送信又はノントランスペアレント送信方式では、いくつかの直交アンテナポートが用いられ、送信側デバイスは、受信側デバイスがいずれのサイクリックシフトがいずれのレイヤによって用いられるのか判別する（例えば、サイクリックシフトは、アンテナポート付番の昇順で選択され、用いられる参照信号は、モバイルデバイスの識別子に依存する）ために、対応するサイクリックシフトを有する適切なシーケンスを選択する必要がある。
【００７５】
加えて、送信方式から発行される無線信号は、実施される方式に依存する或る特定の波形を有する。例えば、ＤＦＴｓＯＦＤＭ方式を実施する送信方式は、シングルキャリア波形を発行する。波形の特性、例えば、シングルキャリア特性を維持することが有利である。これを行うために、特定のＲＳパターン、すなわち、波形の特性を維持するか、又は波形の特性に対するＲＳの挿入の影響を少なくとも低減させることを可能にするＲＳパターンを選択することが必要である場合がある。例えば、ＤＦＴｓＯＦＤＭ方式におけるシングルキャリア特性は、ＤＦＴｓＯＦＤＭ方式（ＳＣ−ＦＤＭＡとしても知られる）のＤＦＴモジュールを適用する前にＲＳを挿入することによって維持することができる。したがって、時間領域及び周波数領域における結果として得られるＲＳの位置は、この要件によって制約することができる。したがって、特定のＲＳパターンのみを波形ごとに適合させることができる。
【００７６】
したがって、波形に従ってＲＳパターンを選択することにより、デバイスが実施する送信方式から発行される波形の特性を維持することが可能になる。その上、デバイスは、いくつかの波形／送信方式を実施することができる。
【００７７】
本発明の一態様によれば、ＲＳパターンの選択は、通信条件のうちの少なくとも１つに従って行われ、通信条件のうちのこの少なくとも１つは、リソース配分である。
【００７８】
したがって、ＲＳパターンの選択は、少なくとも、リソース配分に従って行われる。
【００７９】
リソース配分は、デバイスに配分され、他のデバイスとのＤ２Ｄ通信において送信するのに有効に用いられる無線リソースである。
【００８０】
デバイスは、自身に配分されているリソースユニットを通じて、データを送信する。各配分は、サイズ及び形状（配分されたリソースユニットが周波数領域及び時間領域においてどのように拡散されるか）が異なり得る。リソース配分のサイズ及び形状に従って、いくつかのＲＳパターンは、より良好に適合することができる。例えば、短い持続時間の配分、例えば、時間単位内よりも少数のシンボル、及び／又は、周波数領域における狭い配分、（時間領域及び／又は周波数領域における）ＲＳの所望の密度を維持するパターンを選択することができる。したがって、Ｄ２Ｄ通信においてデバイスによって用いられるリソースの配分に従ってＲＳの挿入を適応させることにより、ＲＳの関連密度を維持し、それゆえ、無線信号を適切に復号するためにチャネルの推定を向上させ、同時に、無線リソースの使用を削減することが可能になる。
【００８１】
本発明の一態様によれば、ＲＳパターンの選択は、通信条件のうちの少なくとも１つに従って行われ、通信条件のうちのこの少なくとも１つは、送信側デバイスの識別子及び／又は受信側デバイスの識別子及び／又は受信側デバイスのグループの識別子である。したがって、異なる送信に対応するＲＳの中からの干渉をランダム化することができ、それゆえ、システム性能が改善する。したがって、送信側デバイス及び受信側デバイス及び／又は受信側デバイスのグループが上記識別子の知識を有する場合、第２の情報を転送する必要がなく、シグナリングオーバーヘッドが削減される。
【００８２】
本発明の一態様によれば、ＲＳパターンの選択は、
−通信条件に対応する値を得ることと、
−Ｔｈｉ≦Ｔｈｉ＋１となるように、および、各区間［Ｔｈｉ；Ｔｈｉ＋１［又は］Ｔｈｉ；Ｔｈｉ＋１］が少なくとも２つのＲＳパターンのセットのサブセットに対応するように、値を、閾値Ｔｈ０、．．．、Ｔｈｎのセットと比較することと、
−値が内部に存在する区間に対応するサブセットの中から、或るＲＳパターンを選択することと、
を含む。
【００８３】
通信条件に対応する値は、デバイスによって求められる通信条件のうちの少なくとも１つ、より有利には、デバイスによって求められるいくつかの又は全ての通信条件に基づいて得られる値である。例えば、各通信条件に、条件値（例えば、レベル）を関連付けることができ、値は、これらの条件値の加重和として得ることができる。
【００８４】
これにより、デバイスに閾値のセットのみを送信することによってデバイスを効率的に構成することが可能になる。実際には、閾値のセットのみが送信され、それゆえ、各セグメント［Ｔｈｉ；Ｔｈｉ＋１］は、Ｔｈｉ≦Ｔｈｉ＋１であることを仮定した閾値によっていずれの値が取得されても、以前に定義されたＲＳパターンの第ｉのサブセットに対応する。したがって、構成は、単に閾値を変更することによって、例えば、ＲＳパターンの第ｉのサブセットを無効化するためにＴｈｉ＝Ｔｈｉ＋１を設定することによって、容易に適応させることができる。
【００８５】
デバイスの構成は、デバイスが基地局のカバレッジ内にある場合、無線基地局を介してネットワークによって行うことができる。
【００８６】
デフォルト構成は、提供されてもよい。すなわち、特定の閾値を定義し、全てのデバイスによって既知とすることができる。送信側デバイスがデフォルト構成とは異なる閾値を用いる場合、これらの異なる閾値に関する情報が受信側デバイスに転送される。デバイスの構成は、デバイスが位置する地理的エリアに依存するものとすることができ、それゆえ、所与の地理的エリア内の全てのデバイスは、閾値に関する共通の理解を有する。
【００８７】
本発明の一態様によれば、ＲＳパターンの選択は、通信条件のうちの少なくとも１つに従って行われ、通信条件のうちのこの少なくとも１つは、送信される情報のタイプである。
【００８８】
例えば、基本データ、制御データ、安全関連情報等の異なるタイプの情報は、信頼性に関して異なる要件を有することができる。高信頼度要件を有するデータの場合、通信の良好な品質を確保するために、より多くのＲＳを有するＲＳパターンが必要となる。
【００８９】
本発明の一態様によれば、ＲＳパターンの選択は、通信条件のうちの少なくとも１つに従って行われ、通信条件のうちのこの少なくとも１つは、搬送波周波数である。実際には、チャネルプロファイルは、異なる搬送波周波数において異なり、周波数選択性、位相雑音プロファイル、ビームフォーミング利得、ドップラープロファイルに関して著しい差が存在する。それゆえ、ＲＳパターンの選択は、搬送波周波数に応じて行うことができる。例えば、ＲＳを含むより多くのシンボルを有するＲＳパターンは、より高い搬送波周波数において必要となる。それゆえ、チャネルの位相効果をより良好に補償することができる。例えば、周波数領域においてより多くのＲＳを有するＲＳパターンは、より低い搬送波周波数において必要となる。それゆえ、より多くの周波数選択性チャネルをより良好に補償することができる。
【００９０】
本発明の第２の態様は、プロセッサによって実行されると、上記で記載された方法を実行するコード命令を含む、コンピュータプログラム製品に関する。
【００９１】
本発明の第３の態様は、ワイヤレス通信システムにおけるデバイス間（Ｄ２Ｄ）通信において、参照信号（ＲＳ）を送信するデバイスであって、
−プロセッサと、
−命令が記憶された非一時的コンピュータ可読媒体であって、命令は、プロセッサによって実行されると、
・通信条件に従って、少なくとも２つのＲＳパターンのセットの中から、或るＲＳパターンを選択することと、
・求められたＲＳパターンに従って、Ｄ２Ｄ通信の無線信号を送信することと、
を行うようにデバイスを構成する、非一時的コンピュータ可読媒体と、
を備える、デバイスに関する。
【００９２】
本発明は、添付図面の図に、限定としてではなく例として示される。添付図面において、同様の参照符号は同様の要素を参照する。
【図面の簡単な説明】
【００９３】
【図１】本発明による送信側デバイス及び受信側デバイスを示す図である。
【図２】ＳＣ−ＦＤＭＡ送信側デバイスのブロック図である。
【図３．１】ＯＦＤＭ方式を実施する送信側デバイスの場合における、本発明によるＲＳパターンを表す図である。
【図３．２】ＯＦＤＭ方式を実施する送信側デバイスの場合における、本発明によるＲＳパターンを表す図である。
【図３．３】ＯＦＤＭ方式を実施する送信側デバイスの場合における、本発明によるＲＳパターンを表す図である。
【図４．１】ＳＣ−ＦＤＭＡ方式を実施する送信側デバイスの場合における、本発明によるＲＳパターンを表す図である。
【図４．２】ＳＣ−ＦＤＭＡ方式を実施する送信側デバイスの場合における、本発明によるＲＳパターンを表す図である。
【図４．３】ＳＣ−ＦＤＭＡ方式を実施する送信側デバイスの場合における、本発明によるＲＳパターンを表す図である。
【図５】本発明による、選択されたＲＳパターンに従って無線信号を放出するステップを表すフローチャートである。
【発明を実施するための形態】
【００９４】
図１には、受信側デバイス１．２によって受信される無線信号を放出する送信側デバイス１．１が示されている。受信側デバイス１．２は、送信側デバイス１．１のカバレッジ内にある。この送信は、例えばＯＦＤＭベース送信、又は例えばＳＣ−ＦＤＭＡとすることができる。受信側デバイス１．２及び送信側デバイス１．１は、双方ともモバイルデバイスである。すなわち、これらのデバイスは、Ｄ２Ｄ通信、例えば、標準ＬＴＥ又はＮＲの状況における車両対全てのモノ（Ｖ２Ｘ：Vehicle-to-everything）通信に関与する。より一般的には、送信側デバイス１．１及び受信側デバイス１．２は、任意のタイプのモバイルデバイス、例えば、車両通信システム、パーソナル通信機器（例えばユーザ機器）等とすることができる。
【００９５】
送信側デバイス１．１は、１つの通信モジュール（ＣＯＭ＿ｔｒａｎｓ）１．３と、１つの処理モジュール（ＰＲＯＣ＿ｔｒａｎｓ）１．４と、メモリユニット（ＭＥＭＯ＿ｔｒａｎｓ）１．５とを備える。ＭＥＭＯ＿ｔｒａｎｓ１．５は、コンピュータプログラムを取り出す不揮発性ユニット、及び送信方式のパラメータ（適用される変調方式、サブキャリア間隔構成、スロットのサイズ等）及びＲＳパターンのセットを取り出す揮発性ユニットを含む。ＰＲＯＣ＿ｔｒａｎｓ１．４は、データを、送信方式（送信方式の一例が図２において記載される）に従って受信側デバイス１．２に送信するために処理し、送信側デバイス１．１によって選択されたＲＳパターンにおいて定義された位置に対応する無線信号内のＲＳの位置等のこれらのＲＳを挿入するように構成される。ＣＯＭ＿ｔｒａｎｓ１．３は、無線信号を放出するように構成される。送信されるように意図されたデータの処理は、ＰＲＯＣ＿ｔｒａｎｓ１．４ではなくＣＯＭ＿ｔｒａｎｓ１．３によって実現することもでき、その場合には、ＰＲＯＣ＿ｔｒａｎｓ１．４が、ＣＯＭ＿ｔｒａｎｓ１．３がこの処理を実行するように構成する。実際には、処理は、送信方式に従ったデータの処理に専用化された電子回路によって実行することもできるし、送信方式に従ってデータを処理するプロセッサによって実行することもできる。本発明は、そのような実施態様に限定されず、送信方式に従ってデータを処理するために電子及びコンピューティング処理の任意の組み合わせを包含する。
【００９６】
受信側デバイス１．２は、１つの通信モジュール（ＣＯＭ＿ｒｅｃｅｉ）１．６と、１つの処理モジュール（ＰＲＯＣ＿ｒｅｃｅｉ）１．７と、メモリユニット（ＭＥＭＯ＿ｒｅｃｅｉ）１．８とを備える。ＭＥＭＯ＿ｒｅｃｅｉ１．８は、コンピュータプログラムを取り出す不揮発性ユニット、及び受信方式のパラメータを取り出すとともにＤ２Ｄ通信において送信側デバイス１．１によって用いられるＲＳパターンを記憶する揮発性ユニットを含む。ＰＲＯＣ＿ｒｅｃｅｉ１．７は、受信方式に従って、送信側デバイス１．１から受信された無線信号を処理するように構成される。ＣＯＭ＿ｒｅｃｅｉ１．６は、送信側デバイス１．１から無線信号を受信するように構成される。データを取り出すための無線信号の処理は、ＰＲＯＣ＿ｒｅｃｅｉ１．５ではなくＣＯＭ＿ｒｅｃｅｉ１．６によって実行することもでき、その場合には、ＰＲＯＣ＿ｒｅｃｅｉ１．５が、ＣＯＭ＿ｒｅｃｅｉ１．６がこの処理を実行するように構成する。実際には、処理は、受信方式に従った無線信号の処理に専用化された電子回路によって実行することもできるし、受信方式に従って無線信号を処理するプロセッサによって実行することもできる。本発明は、そのような実施態様に限定されず、受信方式に従って無線信号を処理するために電子及びコンピューティング処理の任意の組み合わせを包含する。
【００９７】
図１の例では、２つのデバイスのみが表されている。しかしながら、本発明は、そのような１対１のＤ２Ｄ通信に限定されず、２つ以上のデバイスが無線信号を受信するように意図される場合も包含する。例えば、いくつかの受信側デバイスが、例えばマルチキャストタイプ送信又はブロードキャストタイプ送信において、送信側デバイス１．１によって送信された無線信号を受信することができる。
【００９８】
図２には、シングルキャリア周波数分割多重接続（ＳＣ−ＦＤＭＡ）方式を実施する送信側デバイス１．１のブロック図が示されている。そのような送信側デバイス１．１は、無線信号を得るために、Ｍ個のシンボルのブロックに対してＳＣ−ＦＤＭＡ方式を適用することができる。
【００９９】
シンボルのブロックは、例えばＱＡＭデジタル変調方式又は他の任意のデジタル変調方式を実施する変調符号化方式（ＭＣＳ）モジュールによって得ることができる。Ｍは、配分されたサブキャリアの数である。
【０１００】
Ｍ個のシンボル（Ｘｎ）のブロックに、ＭサイズＤＦＴ２．１（離散フーリエ変換）が適用される。ただし、ｎは、０〜Ｍ−１である。ＭサイズＤＦＴ２．１の出力において、Ｍ個の複素シンボル
【数１】
2021536205.tif 000003
が、周波数領域において得られる。すなわち、Ｍ個の配分されたサブキャリアの中の第ｋのサブキャリアごとに１つの複素シンボルが得られる。これらの複素シンボルは、周波数領域において、サブキャリアマッピングモジュール２．２を用いて、ＮサイズＩＤＦＴモジュール２．３のＮ個のうちのＭ個の入力にマッピングされる。サブキャリアマッピングに関して、複素シンボルのベクトル
【数２】
2021536205.tif 000004
は、サブキャリアマッピングモジュール２．２を介してＮ個の存在するサブキャリアのうちのＭ個の配分されたサブキャリアにマッピングされる。サブキャリアマッピングは、例えば、局所化することができ、すなわち、ベクトルＳのＭ個の要素が、Ｎ個の存在するサブキャリアの中のＭ個の連続サブキャリアにマッピングされる。サブキャリアマッピングは、例えば、分散させることができ、すなわち、各ベクトルＳのＭ個の要素が、未使用のサブキャリアを占有する０を用いて帯域幅全体にわたって等距離でマッピングされる。
【０１０１】
その後、サイズＮの逆ＤＦＴ２．３が、サブキャリアマッピングモジュール２．２の結果として得られるベクトル
【数３】
2021536205.tif 000005
に適用され、したがって、ＳＣ−ＦＤＭＡシンボルが生成され、送信アンテナ２．０から送信される。より正確には、ＩＤＦＴモジュール２．３の出力において、信号
【数４】
2021536205.tif 000006
が得られる。この信号は、Ｎ個の存在するサブキャリアのうちのＭ個の配分されたサブキャリアを占有する。信号
【数５】
2021536205.tif 000007
は、時間領域信号であり、その周波数領域表現は、各第ｋの占有されたサブキャリアについて複素シンボルＳｋである。ただし、ｋ＝０〜Ｍ−１である。同様に、時間領域信号
【数６】
2021536205.tif 000008
は、周波数領域では、各第ｋの周波数について複素シンボルＳｋを表す。ただし、ｋ＝０〜Ｍ−１である。この時間領域信号
【数７】
2021536205.tif 000009
は、ＳＣ−ＦＤＭＡシンボルを表している。ＩＤＦＴ後にサイクリックプレフィックスを付加することもできる。
【０１０２】
Ｄ２Ｄ通信は、多入力多出力（ＭＩＭＯ：Multiple-Input Multiple-Output）通信とすることができる。この場合では、送信側デバイス１．１は、ＭＩＭＯエンコーダを実装する。当業者であれば、Ｔ個の送信側アンテナＴｘｋ（ただし、ｋは１〜Ｔ）を実装するＭＩＭＯ通信の場合においてＳＣ−ＦＤＭＡ方式を実施する方法は既知である。すなわち、ＭＩＭＯエンコーダは、例えば、ＭサイズＤＦＴ２．１の出力において設定することができ、ＭサイズＤＦＴ２．１は、第ｋのアンテナについて、ＭＩＭＯエンコーダに入力される複素シンボルのベクトル
【数８】
2021536205.tif 000010
を、プリコーディング行列に従って、複素シンボルのベクトル
【数９】
2021536205.tif 000011
に変換する。その後、複素シンボルのベクトルＳ’Ｔｘｋのそれぞれに対してＯＦＤＭ方式、すなわち、上記で記載されたように、サブキャリアマッピングモジュール２．２及びＮサイズＩＤＦＴモジュール２．３が適用される。したがって、第ｋのアンテナは、ＳＣ−ＦＤＭＡシンボルを表す信号
【数１０】
2021536205.tif 000012
を放出する。全ての信号
【数１１】
2021536205.tif 000013
は、送信側デバイス１．１によって放出された無線信号を形成する送信方式のシンボルを表している。
【０１０３】
当業者であれば、本発明は、送信側デバイス１．１において実装される他の方式、例えばＯＦＤＭ方式を用いて適用することができること、すなわち、ＤＦＴ２．１をＭ個のシンボルのブロックに適用するのではなく、これらのシンボルを、サブキャリアマッピングモジュール２．２を介してＮ個の存在するサブキャリアのうちのＭ個の配分されたサブキャリアに直接マッピングすることによって適用することができることを理解する。上に記載されたＭＩＭＯ通信の場合では、ＯＦＤＭ方式を実施することは、ＤＦＴ２．１をＭ個のシンボルのブロックに適用するのではなく、これらのＭ個のシンボルを、上記で記載されたこれらのシンボルを処理するＭＩＭＯエンコーダに直接入力することによって行われる。
【０１０４】
別の変形形態では、本発明は、ＤＦＴモジュール２．１の代わりに他のタイプのプリコーディングを適用することによって、他のタイプのプリコーディングＯＦＤＭ方式に適用することができる。更に別の変形形態では、本発明は、非マルチキャリア送信方式に等しく適用される。
【０１０５】
図３．１〜図３．３及び図４．１〜図４．３には、異なる波形を実施する送信方式によるＮＲ規格におけるＤ２Ｄ通信の異なる可能なＤＭＲＳ挿入パターンが示されている。
【０１０６】
図３．１〜図３．３は、ＯＦＤＭベース方式を実施する送信方式とともに用いられる挿入パターンを参照している。
【０１０７】
ＮＲでは、送信は、サイズが２個〜１４個のシンボルであるスロットに分割される。表現されているスロットは、９つのシンボルを含む。各正方形は、リソース要素（ＲＥ）、すなわち、最小時間−周波数単位を表している。ＲＥは、周波数領域における一意のサブキャリア及び時間領域における一意のシンボル上で搬送される。すなわち、ＲＥは、シンボルのサブキャリアを表している。１２個のサブキャリアが、リソースブロックＲＢ、すなわち、最小リソース配分単位を表している。
【０１０８】
１つのＲＳは、１つのＲＥを占有する。したがって、ＲＳパターンにおけるＲＳ（例えば、ＤＭＲＳ）の位置がグレーで表されている。各図３．１〜３．３は、それぞれ、異なる数のＲＳを含むシンボルを有するＲＳパターンを表している。図３.１は、１／９の時間密度、すなわち、スロットの９つのシンボルのうち、１つのシンボルが少なくとも１つのＲＳを含んでいることを表している。図３．２は、２／９の時間密度、すなわち、スロットの９つのシンボルのうち、２つのシンボルがそれぞれ少なくとも１つのＲＳを含んでいることを表している。図３．３は、３／９の時間密度、すなわち、スロットの９つのシンボルのうち、３つのシンボルがそれぞれ少なくとも１つのＲＳを含んでいることを表している。図３．１及び図３．３は、同じ周波数密度を有しており、４つのＲＳの周波数密度（又はＲＢ内の１２個のサブキャリアのうちの１／３）である。図３．２は、６つのＲＳの周波数密度（又はＲＢ内の１２個のサブキャリアのうちの１／２）を有する。
【０１０９】
ＮＲ規格において、ＲＳパターンは、１つのスロット上で完全に定義される。したがって、ＲＳパターンを実施する場合、ＲＳは、別のＲＳパターンが実施されるまで、全スロット内の同じ位置に挿入される。したがって、時間密度は、ＲＳを含むシンボルの数を時間単位内のシンボルの数で除算したものである。
【０１１０】
送信側デバイスは、受信側デバイスに、サイドリンク制御チャネルにおけるフィールド内で特定の情報を送信することによって、Ｄ２Ｄ通信において用いられるＲＳパターンを通知することができる。
【０１１１】
特定の情報は、ＲＳパターンのセットにマッピングされたインデックスからの値とすることができる。したがって、インデックスの各値は、特定のＲＳパターンを参照する。
【０１１２】
特定の情報は、ＲＳパターン内の時間密度（又はＲＳを含むシンボルの数）を表す値、例えば、図３．１に表されたＲＳパターンの場合には値１、図３．２に表されたＲＳパターンの場合には値２、及び図３．３に表されたＲＳパターンの場合には値３を含むことができる。ＲＳパターンのセット内に、時間密度ごとにＤ２Ｄ通信にとって利用可能な最大で１つのＲＳパターンが存在する場合、受信側デバイス１．２は、この値に基づいて用いられるＲＳパターンを取り出すことができる。
【０１１３】
これらの数のうちの少なくとも１つについて、ＲＳパターンのセット内でいくつかのＲＳパターンが利用可能である場合、特定の情報は、周波数領域におけるＲＳの密度のレベルを表す第２の値を含むことができる。例えば、値１は、図３．１及び図３．３に表されるように低周波数密度を表すことができ、値２は、図３．２に表されるように高周波数密度を表すことができる。したがって、サイドリンク制御チャネルを通じて送信される特定の情報は、図３．１に表されるＲＳパターンの場合にはペア（１；１）、図３．２に表されるＲＳパターンの場合にはペア（２；２）、及び図３．３に表されるＲＳパターンの場合にはペア（３；１）である。
【０１１４】
別の例では、これらの数のうちの少なくとも１つ及び／又はこれらの数のペアのうちの少なくとも１つについて、ＲＳパターンのセット内でいくつかのＲＳパターンが利用可能である（例えば、周波数領域において異なる位置を有する、又は同じ位置にマッピングされた異なる値を有する）場合、ＲＳパターンを一意に識別するのに必要である特定の情報は、例えば、送信機の識別子及び／又は受信機の識別子及び／又は受信機のグループの識別子のような通信条件に依存することができる。この場合では、送信機は、送信機及び受信機及び／又は受信機のグループによって共通に知られている通信条件に基づいたパターンを選択し、いずれの補足の特定の情報も送信する必要がない。
【０１１５】
図４．１〜図４．３は、ＳＣ−ＦＤＭＡ方式を実施する送信方式とともに用いられる挿入パターンを参照する。
【０１１６】
そのようなＳＣ−ＦＤＭＡ方式を実施する場合、ＲＳは、周波数領域において、すなわち、ＭサイズＤＦＴ２．１が適用された後、かつ、ＮサイズＩＤＦＴモジュール２．３が適用される前に挿入することができる。したがって、ＲＳは、ＯＦＤＭ方式を実施する送信方式と同じ方式で挿入される。それゆえ、ＲＳパターンは、同じ特定の情報によって表すことができる。
【０１１７】
加えて、ＳＣ−ＦＤＭＡ方式を実施する場合、時間領域において、すなわち、ＭサイズＤＦＴ２．１を適用する前に、ＲＳを挿入することが有利である。そのような挿入により、ＳＣ−ＦＤＭＡ方式のシングルキャリア特性を維持することが可能になる。したがって、ＭサイズＤＦＴ２．１に入力されるＭ個のシンボルの中から、それらのうちのいくつかがＲＳとして設定される。図４．１に表されるＲＳパターンでは、ＤＦＴ２．１に入力されるＭ個のシンボル（Ｍは、図４．１〜図４．３上では１２に等しい）のうち２つのＲＳが挿入されることを必要とする。図４．２に表されるＲＳパターンでは、Ｍ個のシンボルのうち４つのＲＳが挿入されることを必要とし、図４.３に表されるＲＳパターンでは、Ｍ個のシンボルのうち６つのＲＳが挿入されることを必要とする。
【０１１８】
図３．１〜図３．３の場合と同様に、送信側デバイスは、受信側デバイスに、サイドリンク制御チャネルにおけるフィールド内で特定の情報を送信することによって、Ｄ２Ｄ通信において用いられるＲＳパターンを通知することができる。
【０１１９】
特定の情報は、ＲＳパターンのセットにマッピングされたインデックスからの値とすることができる。したがって、インデックスの各値は、特定のＲＳパターンを参照する。
【０１２０】
特定の情報は、ＲＳパターンのＤＦＴ前位置を表す値、例えば、図４．１に表されたＲＳパターンの場合には値１、図４．２に表されたＲＳパターンの場合には値２、及び図４．３に表されたＲＳパターンの場合には値３とすることができる。
【０１２１】
図３．１〜図３．３の場合と同様に、送信側デバイスは、例えば、送信機の識別子及び／又は受信機の識別子及び／又は受信機のグループの識別子のような通信条件に基づいてＤＦＴ前位置を選択することができる。この場合では、送信機は、送信機及び受信機及び／又は受信機のグループによって共通に知られている通信条件に基づいて厳密なパターンを選択し、いずれの補足の特定の情報も送信する必要がない。
【０１２２】
当業者であれば、図３．１〜図４．３は、他の任意のタイプのＲＳパターン及び任意のフレーム構造に容易に置き換えることができることを理解する。
【０１２３】
図５を参照すると、選択されたＲＳパターンに従って無線信号を放出するステップを表すフローチャートが示されている。
【０１２４】
ステップＳ１において、送信側デバイスが構成される。送信側デバイス１．１の構成は、基地局及び送信側デバイス１．１自身によって行うことができる。
【０１２５】
基地局によって行われる構成は、送信側デバイス１．１が、自身がＤ２Ｄ通信にともに関与することになる受信側デバイス１．２に従って構成されるように、送信側デバイス１．１がこの基地局のカバレッジ内にある場合に行われる。
【０１２６】
送信側デバイス１．１自身によって行われる構成は、通信を構成すること、すなわち、Ｄ２Ｄ通信において送信側デバイス１．１によって用いられる通信パラメータ（例えば、送信方式、サブキャリア間隔等）を設定することに関する。
【０１２７】
送信側デバイス１．１が基地局のカバレッジ内にあるとき、基地局は、送信側デバイス１．１を構成するための情報を送信側デバイス１．１に送信することができる。
【０１２８】
例えば、基地局は、閾値Ｔｈ０、．．．、Ｔｈｎのセットが設定される値のセットを送信することができる。各区間［Ｔｈｉ；Ｔｈｉ＋１［又は］Ｔｈｉ；Ｔｈｉ＋１］は、ＲＳパターンの第ｉのサブセットに対応する。基地局によって送信される値のセットがＴｈｉ＝Ｔｈｉ＋１を伴う場合、基地局は、ＲＳパターンの第ｉのサブセットを無効化する。各区間の境界によって取得される値は、通信条件に従ってＲＳパターンの対応するサブセットの関連度を求める。以前に構成されている閾値のセットを、デフォルト構成として設定することができる。したがって、Ｄ２Ｄ通信に関与する受信側デバイス１．２は、送信側デバイス１．１がＤ２Ｄ通信における構成を用いることになることを認識している。ＲＳパターンのサブセットは、一度だけ、又は閾値を用いて基地局によって構成することができる。
【０１２９】
別の例では、基地局は、リソースプール及び／又は帯域幅部分に関係付けられた情報を送信することができる。この情報により、送信側デバイス１．１がＤ２Ｄ通信について用いることができる異なるリソースプール及び／又は帯域幅部分を送信側デバイス１．１が求めることが可能になる。
【０１３０】
送信側デバイス１．１のこれらの構成は、デバイスが位置する地理的エリアに依存する。したがって、所与の地理的エリア内の全てのデバイスが、閾値のデフォルトセットを認識している。加えて、ワイヤレス通信用に配分される周波数帯域は、地理的エリアごとに異なる。
【０１３１】
ステップＳ３において、通信条件が求められる（言い換えれば、評価される）。通信条件は、デバイス１．１によって求めることもできるし、例えばサイドリンク制御チャネルを介して、他のデバイス１．２によって送信することもできる。すなわち、送信側デバイス１．１が通信条件のレベルを求めるか、又は、このレベルは、送信側デバイス１．１に送信される。
【０１３２】
通信条件は、送信側デバイス１．１と受信側デバイス１．２との間の無線チャネル及び／又はＤ２Ｄ通信のパラメータに関係付けられる。
【０１３３】
１．シンボルの数
通信条件のうちの１つは、パーティション方式の時間単位内のシンボルの数とすることができる。ＮＲ  Ｄ２Ｄ通信の状況では、この通信条件は、受信側デバイス１．２への送信に用いられることになるスロット内のシンボルの数を指す。１スロット内のシンボルの数は、２個〜１４個のシンボルの範囲とすることができる。したがって、送信側デバイス１．１は、スロットのサイズにそれぞれ１〜１３のレベルを割り当てることができる。一変形形態では、送信側デバイス１．１は、スロットのサイズのグループにレベルを割り当てることができ、例えば、小サイズのスロット（例えば、２〜４のスロット）にレベル１、中サイズのスロット（例えば、５〜１０のスロット）にレベル２、及び大サイズのスロット（例えば、１１〜１４のスロット）にレベル３を割り当てることができる。これにより、ＲＳパターンを選択するための計算の複雑度が低下する。
【０１３４】
２．シンボルの時間領域の持続時間
通信条件のうちの１つは、Ｄ２Ｄ通信に用いられるシンボルの時間領域の持続時間とすることができる。ＮＲ規格では、特にいくつかのサブキャリア間隔構成を実施するマルチキャリアを用いる場合、異なる持続時間を有するシンボルを用いることができる。送信側デバイス１．１は、各サブキャリア間隔構成又はサブキャリア間隔構成のグループにレベルを割り当てることができ、例えば、（広いサブキャリア間隔構成を有する）短持続時間シンボルにレベル１、（中程度のサブキャリア間隔構成を有する）中持続時間シンボルにレベル２、及び（小さいサブキャリア間隔構成を有する）長持続時間シンボルにレベル３を割り当てることができる。
【０１３５】
３．リソースプール及び／又は帯域幅
通信条件のうちの１つは、Ｄ２Ｄ通信において用いられるリソースプール及び／又は帯域幅部分とすることができる。実際には、ＮＲでは、１キャリア内にいくつかのリソースプール及び／又は帯域幅部分を構成することができる。各リソースプール及び／又は帯域幅は、特定のサービスに用いることができる。これらのサービスは、異なるレベルの復号誤りに耐え得る。例えば、（安全関連情報を用いる）緊急サービスは、より良好なレベルの復号（それゆえより多くのＲＳを有するＲＳパターン）を要求する場合がある。加えて、リソースプール及び／又は帯域幅部分は、例えば、ネットワークが同じ又は隣接した帯域内の無線リソースを用いるか否かに応じて、異なる干渉プロファイルを有し得る。したがって、送信側デバイス１．１は、Ｄ２Ｄ通信に用いられるリソースプール及び／又は帯域幅部分に従ってレベルを割り当てることができる。
【０１３６】
加えて、ネットワークは、ＲＳパターンのうちのいくつかを禁止することができる。
【０１３７】
４．相対速度
通信条件のうちの１つは、Ｄ２Ｄ通信に関与する送信側デバイス１．１と受信側デバイス１．２との間の相対速度とすることができる。
【０１３８】
送信側デバイス１．１は、以下を測定することによって、１つの受信側デバイス１．２との間の相対速度を求めることができる。
−受信側デバイス１．２から受信された信号の強度、
−受信側デバイス１．２から受信された信号の強度変動、
−受信側デバイス１．２から受信された信号のドップラーシフト、及び／又は、
−受信側デバイス１．２から受信された信号のドップラー拡散。
【０１３９】
相対速度は、送信側デバイス１．１に対する相対速度に関するインジケーションを送信する受信側デバイス１．２によって、これらの方法によって測定することもできる。
【０１４０】
相対速度は、送信側デバイス１．１又は受信側デバイス１．２と同じ位置に位置する他の測定システムによって得ることもできる。
【０１４１】
Ｄ２Ｄ通信に２つ以上の受信側デバイス１．２が関与する場合、送信側デバイス１．１は、（前述されたような）受信側デバイス１．２のそれぞれ又は少なくともサブセットの相対速度を得ることができ、それに基づいて、受信側デバイス１．２のグループの相対速度が得られる。
【０１４２】
グループの相対速度は、以下を計算することによって得ることができる。
−得られた相対速度の平均、又は、
−得られた相対速度のそれぞれが信号強度に従って重み付けされ、重みづけ付けされた相対速度の平均。
【０１４３】
相対速度、又はグループの相対速度に従って、送信側デバイス１．１は、レベルを割り当てることができ、例えば、低速度又は歩行者速度にレベル１、中速度又は車両速度にレベル２、及び高速度にレベル３を割り当てることができる。
【０１４４】
５．ルーティング方式
通信条件のうちの１つは、Ｄ２Ｄ通信において用いられるルーティング方式とすることができる。
【０１４５】
ルーティング方式がユニキャスト及びマルチキャストである場合、送信側デバイス１．１は、受信側デバイス１．２による無線チャネルに対するフィードバックを得るか、又は、受信側デバイス１．２から送信された、以前に受信された無線信号を分析することができる。したがって、送信側デバイス１．１は、例えば無線チャネルの品質に従ってレベルを割り当てることができ、例えば、高品質無線チャネルにレベル１、中程度の品質の無線チャネルにレベル２、及び不良品質無線チャネルにレベル３を割り当てることができる。Ｄ２Ｄ通信にいくつかの受信側デバイス１．２が関与する場合、受信側デバイス１．２のグループについて平均レベルを取得することができる。
【０１４６】
ブロードキャストの場合では、送信側デバイス１．１は、レベル３を自動的に割り当てることができる。
【０１４７】
６．変調符号化方式（ＭＣＳ）
通信条件のうちの１つは、Ｄ２Ｄ通信において用いられる変調符号化方式とすることができる。
【０１４８】
ＮＲでは、ＬＴＥと同様に、いくつかの符号化方式及びいくつかの変調方式、すなわち、いくつかの変調符号化方式が利用可能である。変調符号化方式は、信号のデータレート及びロバスト性に直接影響を与える。したがって、送信側デバイス１．１は、ＭＣＳの次数に従ってレベルを割り当てることができ、例えば、低次ＭＣＳにレベル１、中程度の次数のＭＣＳにレベル２、及び高次ＭＣＳにレベル３を割り当てることができる。
【０１４９】
７．送信方式及び波形
通信条件のうちの１つは、Ｄ２Ｄ通信において用いられる送信方式及び／又は波形とすることができる。
【０１５０】
ＮＲでは、コードブックベース、非コードブックベース、単一アンテナポート送信、時間又は周波数領域におけるプリコーダベクトル循環（precoder vector cycling）、トランスペアレント（例えば、サイクリック遅延ダイバーシティ）又は非トランスペアレント送信ダイバーシティ（例えば、アラモウチ（Alamouti）ベース）等のいくつかの送信方式が定義されるか、又は将来のリリースにおいて導入され得る。
【０１５１】
これらの送信方式は、さまざまな波形、例えば、ＳＣ−ＦＤＭＡ又はＯＦＤＭタイプの送信方式を実施する。送信側デバイス１．１は、特定のＲＳパターン、例えば、ＳＣ−ＦＤＭＡタイプの送信方式が用いられる場合、ＲＳのＤＦＴ前挿入のために設計されたＲＳパターンに制限することができる。
【０１５２】
８．リソース配分
通信条件のうちの１つは、Ｄ２Ｄ通信に配分されるリソースとすることができる。
【０１５３】
送信側デバイス１．１は、リソース配分のサイズ及び形状に従ってレベルを割り当てることができる。
【０１５４】
各特定の通信条件に従って割り当てられるレベルの前述の例では、レベルは、ＲＳを含むシンボルの数とＲＳを搬送するサブキャリアの数との間では差がない。しかしながら、レベルは、レベルのペアに置き換えることができ、ペアの一方のレベルは選択されることになるＲＳパターンの時間密度に影響を与え、他方は選択されることになるＲＳパターンの周波数密度に影響を与える。
【０１５５】
レベルは、通信条件ごとに異なるように割り当てることができる。
【０１５６】
全ての通信条件が求められると、送信側デバイス１．１は、これらの通信条件に基づいて、ステップＳ５においてＲＳパターンを選択することができる。ＲＳパターンの選択は、十分な通信条件が求められていた場合、すなわち、全ての通信条件が求められるのではなく、例えば事前定義された持続時間中に求めることができた通信条件に基づいて、それらのグループのみが求められた場合に行うこともできる。
【０１５７】
ステップＳ５において、通信条件に基づいて、送信側デバイス１．１は、ＲＳパターンを選択する。
【０１５８】
各通信条件について、又は少なくとも通信条件の一部について、レベルが割り当てられており、及び／又は、ＲＳパターンが禁止されており、及び／又は、選択がＲＳパターンのサブセットに制限される。ＲＳパターンのセットから或るＲＳパターンを選択する前に、送信側デバイス１．１は、ＲＳパターンの制限されたサブセットから禁止されたＲＳパターンを除去し、その後、ＲＳパターンの結果として得られたセットの中から、或るＲＳパターンを選択することができる。
【０１５９】
ＲＳパターンの結果として得られたセットの中から選択を行うために、送信側デバイス１．１は、通信条件に対応する値Ｖを得る。この値は、通信条件について得られたレベルを総和することによって得ることができる。総和は、レベルの加重和とすることができ、実際には、通信条件のうちの一部は、より関連したものであり得るとともに、ＲＳパターンの選択に対するより直接的な影響を有し得る。値Ｖが得られると、値Ｖを含む第ｉの区間（［Ｔｈｉ；Ｔｈｉ＋１［又は］Ｔｈｉ；Ｔｈｉ＋１］）に対応するＲＳパターンのサブセットは、ＲＳパターンの結果として得られたセットとの共通部分である。その後、送信側デバイス１．１は、この共通部分から結果として得られるＲＳパターンから、或るＲＳパターンを選択する。
【０１６０】
ステップＳ７において、送信側デバイス１．１は、選択されたＲＳパターンに関する情報を送信する。この情報は、受信側デバイス１．２がＲＳパターンを求めることを可能にする任意の情報とすることができる。例えば、特定の情報は、図３．１〜図４．３に従って記載された値であり、サイドリンク制御チャネルにおけるフィールド内で送信される。
【０１６１】
別の例では、この情報は、暗黙的な情報であり、例えば、受信側デバイス１．２は、受信側デバイス１．２及び送信側デバイス１．１の双方に既知の規則の共通セットに基づいて、及び／又は、他の目的に関係付けられた情報に基づいて、用いられることになるＲＳパターンを求めることが可能である。例えば、他の目的に関係付けられた情報は、スロット構成に対するインジケーション、及び／又は、他のタイプのＲＳの構成のインジケーション、及び／又は、通信のパラメータに関するインジケーション、又は、特定のＲＳパターンを明示的には示していない他の任意の情報とすることができる。
【０１６２】
送信側デバイス１．１がデフォルト構成における閾値とは異なる閾値を用いた場合、これらの異なる閾値に関する情報は、受信側デバイス１．２に転送される。
【０１６３】
送信側デバイス１．１は、求められたＲＳパターンに従ってＤ２Ｄ通信の無線信号を放出し、すなわち、選択されたＲＳパターンにおいて定義された位置にＲＳを含む無線信号を放出する。
【図１】
2021536205.tif 000014
【図２】
2021536205.tif 000015
【図３．１】
2021536205.tif 000016
【図３．２】
2021536205.tif 000017
【図３．３】
2021536205.tif 000018
【図４．１】
2021536205.tif 000019
【図４．２】
2021536205.tif 000020
【図４．３】
2021536205.tif 000021
【図５】
2021536205.tif 000022
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるデバイス間（Ｄ２Ｄ）通信において、参照信号（ＲＳ）を送信するデバイスによって実施される方法であって、
前記Ｄ２Ｄ通信の無線チャネルに関係付けられる条件および前記Ｄ２Ｄ通信の通信パラメータに関係付けられる条件のうちの少なくとも一方の条件に従って、少なくとも２つのＲＳパターンのセットの中から、ＲＳパターンを選択することと、
選択されたＲＳパターンに従って、Ｄ２Ｄ通信の無線信号を放出することと、
を含み、
前記ＲＳパターンの選択は、
前記Ｄ２Ｄ通信の無線チャネルに関係付けられる条件又は前記Ｄ２Ｄ通信の前記通信パラメータに関係付けられる条件に対応する値を得ることと、
Ｔｈｉ≦Ｔｈｉ＋１となるように、および、各区間［Ｔｈｉ；Ｔｈｉ＋１［又は］Ｔｈｉ；Ｔｈｉ＋１］が少なくとも２つのＲＳパターンの前記セットのサブセットに対応するように、前記対応する値を閾値Ｔｈ０、．．．、Ｔｈｎのセットと比較することと、
前記対応する値が内部に存在する前記区間に対応する前記サブセットの中から、ＲＳパターンを選択することと、
を含む、方法。
【請求項２】
前記送信するデバイスによって前記Ｄ２Ｄ通信の無線チャネルに関係付けられる条件及び前記Ｄ２Ｄ通信の前記通信パラメータに関係付けられる条件、又は前記通信パラメータを求めることを更に含む、請求項１に記載の方法。
【請求項３】
前記選択されたＲＳパターンに関する情報を送信することを更に含む、請求項１又は２に記載の方法。
【請求項４】
前記ＲＳパターンのセットの中の少なくとも１つのＲＳパターンは、シンボルの数ＸがＲＳを含むパターンに対応し、前記ＲＳパターンのセットの中の１つのＲＳパターンは、シンボルの数ＹがＲＳを含むパターンに対応し、前記数Ｙは、前記数Ｘとは異なり、各パターンのシンボルは、前記無線信号を送信するデバイスによって用いられる送信方式によって出力されるシンボルである、請求項１〜３のいずれか１項に記載の方法。
【請求項５】
前記ＲＳパターンの選択は、少なくとも前記通信パラメータに従って行われ、前記通信パラメータは、パーティション方式の時間単位内のシンボルの数であり、前記パーティション方式は、前記無線信号を、シンボルのグループに分割する、請求項１〜４のいずれか１項に記載の方法。
【請求項６】
前記ＲＳパターンの選択は、少なくとも前記通信パラメータに従って行われ、前記通信パラメータは、前記Ｄ２Ｄ通信に用いられるシンボルの時間領域の持続時間である、請求項１〜５のいずれか１項に記載の方法。
【請求項７】
前記ＲＳパターンの選択は、少なくとも前記通信パラメータに従って行われ、前記通信パラメータは、前記Ｄ２Ｄ通信に用いられるサブキャリア間隔構成である、請求項１〜６のいずれか１項に記載の方法。
【請求項８】
前記ＲＳパターンの選択は、少なくとも前記通信パラメータに従って行われ、前記通信パラメータは、前記送信するデバイスによって前記無線信号の送信に用いられるリソースを含むリソースのセットである、請求項１〜７のいずれか１項に記載の方法。
【請求項９】
前記ＲＳパターンの選択は、複数の前記Ｄ２Ｄ通信の前記無線チャネルに関係付けられる条件のうちの少なくとも１つに従って行われ、前記複数の前記Ｄ２Ｄ通信の前記無線チャネルに関係付けられる条件のうちの前記少なくとも１つは、前記送信するデバイスと受信側デバイスとの間の相対速度、又は、前記送信するデバイスと受信側デバイスのグループとの間の相対速度である、請求項１〜８のいずれか１項に記載の方法。
【請求項１０】
前記ＲＳパターンの選択は、少なくとも前記通信パラメータに従って行われ、前記通信パラメータは、ルーティング方式のタイプである、請求項１〜９のいずれか１項に記載の方法。
【請求項１１】
前記ルーティング方式のタイプがブロードキャストである場合、前記ＲＳパターンのセットの前記ＲＳパターンの中の、ＲＳを含む最大数のシンボルを有するＲＳパターンが選択される、請求項１０に記載の方法。
【請求項１２】
前記ＲＳパターンの選択は、少なくとも前記通信パラメータに従って行われ、前記通信パラメータは、変調符号化方式のタイプである、請求項１〜１１のいずれか１項に記載の方法。
【請求項１３】
前記ＲＳパターンの選択は、少なくとも前記通信パラメータに従って行われ、前記通信パラメータは、送信方式のタイプである、請求項１〜１２のいずれか１項に記載の方法。
【請求項１４】
前記ＲＳパターンの選択は、少なくとも前記通信パラメータに従って行われ、前記通信パラメータは、波形のタイプである、請求項１〜１３のいずれか１項に記載の方法。
【請求項１５】
前記ＲＳパターンの選択は、少なくとも前記通信パラメータに従って行われ、前記通信パラメータは、リソース配分である、請求項１〜１４のいずれか１項に記載の方法。
【請求項１６】
プロセッサによって実行されると、請求項１〜１５のいずれか１項に記載の方法を実行するコード命令を含む、コンピュータプログラム製品。
【請求項１７】
ワイヤレス通信システムにおけるデバイス間（Ｄ２Ｄ）通信において、参照信号（ＲＳ）を送信するデバイスであって、
プロセッサと、
命令が記憶された非一時的コンピュータ可読媒体であって、前記命令は、前記プロセッサによって実行されると、
前記Ｄ２Ｄ通信の無線チャネルに関係付けられる条件および前記Ｄ２Ｄ通信の通信パラメータに関係付けられる条件のうちの少なくとも一方の条件に従って、少なくとも２つのＲＳパターンのセットの中から、ＲＳパターンを選択することと、
選択されたＲＳパターンに従って、Ｄ２Ｄ通信の無線信号を送信することと、
を行うように前記送信するデバイスを構成する、非一時的コンピュータ可読媒体と、
を備え、
前記ＲＳパターンの選択は、
前記Ｄ２Ｄ通信の無線チャネルに関係付けられる条件又は前記Ｄ２Ｄ通信の前記通信パラメータに関係付けられる条件に対応する値を得ることと、
Ｔｈｉ≦Ｔｈｉ＋１となるように、および、各区間［Ｔｈｉ；Ｔｈｉ＋１［又は］Ｔｈｉ；Ｔｈｉ＋１］が少なくとも２つのＲＳパターンの前記セットのサブセットに対応するように、前記対応する値を閾値Ｔｈ０、．．．、Ｔｈｎのセットと比較することと、
前記対応する値が内部に存在する前記区間に対応する前記サブセットの中から、ＲＳパターンを選択することと、を含む、デバイス。
【国際調査報告】
2021536205.tif 000023
2021536205.tif 000024
2021536205.tif 000025